(57)【特許請求の範囲】
【請求項１】
照射方向に応じて強度が異なる第１の照射光を放射状に出射する第１の照射ユニットと、
照射方向に応じて強度が異なる第２の照射光を前記第１の照射光を出射する期間と異なる期間に放射状に出射する第２の照射ユニットと、
前記第１の照射ユニットからの前記第１の照射光が対象物に反射されることによる第１の反射光と、前記第２の照射ユニットからの前記第２の照射光が前記対象物に反射されることによる第２の反射光とを受光する受光部と、
前記受光部での受光結果に基づいて、前記対象物の位置を検出する検出部と、
を含み、
前記第１の照射ユニットは、
第１の光源光を出射する第１の光源部と、
第２の光源光を出射する第２の光源部と、
一端側の光入射面に入射された前記第１の光源光を曲線状の導光経路に沿って導光すると共に他端側の光入射面に入射された前記第２の光源光を曲線状の導光経路に沿って導光する曲線形状の第１のライトガイドと、
前記第１のライトガイドの外周側から出射される前記第１の光源光又は前記第２の光源光を受け、曲線形状の前記第１のライトガイドの内周側から外周側へと向かう方向に前記第１の照射光の照射方向を設定する第１の照射方向設定部を含み、
前記第１の光源部が前記第１の光源光を出射することで、第１の照射光強度分布を前記対象物の検出領域に形成し、前記第２の光源部が前記第２の光源光を前記第１の光源部が前記第１の光源光を出射する期間と異なる期間に出射することで、前記第１の照射光強度分布とは強度分布が異なる第２の照射光強度分布を前記検出領域に形成し、
前記第２の照射ユニットは、
第３の光源光を出射する第３の光源部と、
第４の光源光を出射する第４の光源部と、
一端側の光入射面に入射された前記第３の光源光を曲線状の導光経路に沿って導光すると共に他端側の光入射面に入射された前記第４の光源光を曲線状の導光経路に沿って導光する曲線形状の第２のライトガイドと、
前記第２のライトガイドの外周側から出射される前記第３の光源光又は前記第４の光源光を受け、曲線形状の前記第２のライトガイドの内周側から外周側へと向かう方向に前記第２の照射光の照射方向を設定する第２の照射方向設定部を含み、
前記第３の光源部が前記第３の光源光を出射することで、第３の照射光強度分布を前記検出領域に形成し、前記第４の光源部が前記第４の光源光を前記第３の光源部が前記第３の光源光を出射する期間と異なる期間に出射することで、前記第３の照射光強度分布とは強度分布が異なる第４の照射光強度分布を前記検出領域に形成し、
前記検出部は、
前記第１の反射光における前記第１の光源光の反射光の光量と、前記第１の反射光における前記第２の光源光の反射光の光量と、を、前記第１の照射光強度分布および前記第２の照射光強度分布を形成した場合の、前記対象物の位置での前記第１の光源光および前記第２の光源光による前記第１の照射光の強度に対応付けることにより、前記第１の照射ユニットに対する前記対象物の方向を第１の方向として検出し、前記第２の反射光における前記第３の光源光の反射光の光量と、前記第２の反射光における前記第４の光源光の反射光の光量と、を、前記第３の照射光強度分布および前記第４の照射光強度分布を形成した場合の、前記対象物の位置での前記第３の光源光および前記第４の光源光による前記第２の照射光の強度に対応付けることにより、前記第２の照射ユニットに対する前記対象物の方向を第２の方向として検出し、検出された前記第１の方向及び前記第２の方向と、前記第１の照射ユニットと前記第２の照射ユニットの間の距離とに基づいて、前記対象物の位置を検出する、
ことを特徴とする光学式検出装置。
【請求項２】
照射方向に応じて強度が異なる第１の照射光を放射状に出射する第１の照射ユニットと、
照射方向に応じて強度が異なる第２の照射光を前記第１の照射光を出射する期間と異なる期間に放射状に出射する第２の照射ユニットと、
前記第１の照射ユニットからの前記第１の照射光が対象物に反射されることによる第１の反射光と、前記第２の照射ユニットからの前記第２の照射光が前記対象物に反射されることによる第２の反射光とを受光する受光部と、
前記受光部での受光結果に基づいて、前記対象物の位置を検出する検出部と、
を含み、
前記第１の照射ユニットは、
第１の光源光を出射する第１の光源部と、
第２の光源光を出射する第２の光源部と、
一端側の光入射面に入射された前記第１の光源光を曲線状の導光経路に沿って導光する曲線形状の第１のライトガイドと、
他端側の光入射面に入射された前記第２の光源光を曲線状の導光経路に沿って導光する曲線形状の第２のライトガイドと、
前記第１のライトガイドの外周側から出射される前記第１の光源光又は前記第２のライトガイドの外周側から出射される前記第２の光源光を受け、曲線形状の前記第１のライトガイド及び前記第２のライトガイドの内周側から外周側へと向かう方向に前記第１の照射光の照射方向を設定する第１の照射方向設定部を含み、
前記第１の光源部が前記第１の光源光を出射することで、第１の照射光強度分布を前記対象物の検出領域に形成し、前記第２の光源部が前記第２の光源光を前記第１の光源部が前記第１の光源光を出射する期間と異なる期間に出射することで、前記第１の照射光強度分布とは強度分布が異なる第２の照射光強度分布を前記検出領域に形成し、
前記第２の照射ユニットは、
第３の光源光を出射する第３の光源部と、
第４の光源光を出射する第４の光源部と、
一端側の光入射面に入射された前記第３の光源光を曲線状の導光経路に沿って導光する曲線形状の第３のライトガイドと、
他端側の光入射面に入射された前記第４の光源光を曲線状の導光経路に沿って導光する曲線形状の第４のライトガイドと、
前記第３のライトガイドの外周側から出射される前記第３の光源光又は前記第４のライトガイドの外周側から出射される前記第４の光源光を受け、曲線形状の前記第３のライトガイド及び前記第４のライトガイドの内周側から外周側へと向かう方向に前記第２の照射光の照射方向を設定する第２の照射方向設定部を含み、
前記第３の光源部が前記第３の光源光を出射することで、第３の照射光強度分布を前記検出領域に形成し、前記第４の光源部が前記第４の光源光を前記第３の光源部が前記第３の光源光を出射する期間と異なる期間に出射することで、前記第３の照射光強度分布とは強度分布が異なる第４の照射光強度分布を前記検出領域に形成し、
前記検出部は、
前記第１の反射光における前記第１の光源光の反射光の光量と、前記第１の反射光における前記第２の光源光の反射光の光量と、を、前記第１の照射光強度分布および前記第２の照射光強度分布を形成した場合の、前記対象物の位置での前記第１の光源光および前記第２の光源光による前記第１の照射光の強度に対応付けることにより、前記第１の照射ユニットに対する前記対象物の方向を第１の方向として検出し、前記第２の反射光における前記第３の光源光の反射光の光量と、前記第２の反射光における前記第４の光源光の反射光の光量と、を、前記第３の照射光強度分布および前記第４の照射光強度分布を形成した場合の、前記対象物の位置での前記第３の光源光および前記第４の光源光による前記第２の照射光の強度に対応付けることにより、前記第２の照射ユニットに対する前記対象物の方向を第２の方向として検出し、検出された前記第１の方向及び前記第２の方向と、前記第１の照射ユニットと前記第２の照射ユニットの間の距離とに基づいて、前記対象物の位置を検出する、
ことを特徴とする光学式検出装置。
【請求項３】
請求項１又は２において、
前記第１の照射ユニットと前記第２の照射ユニットは、前記対象物の検出領域の面に沿った方向において所与の距離だけ離れて配置されることを特徴とする光学式検出装置。
【請求項４】
請求項１乃至３のいずれかにおいて、
前記第１の照射光強度分布は、前記第１の照射ユニットの一端側から他端側に向かうにつれて照射光の強度が低くなる強度分布であり、前記第２の照射光強度分布は、前記第１の照射ユニットの他端側から一端側に向かうにつれて照射光の強度が低くなる強度分布であり、
前記第３の照射光強度分布は、前記第２の照射ユニットの一端側から他端側に向かうにつれて照射光の強度が低くなる強度分布であり、前記第４の照射光強度分布は、前記第２の照射ユニットの他端側から一端側に向かうにつれて照射光の強度が低くなる強度分布であることを特徴とする光学式検出装置。
【請求項５】
請求項１乃至４のいずれかにおいて、
前記第１の光源部〜前記第４の光源部の発光制御を行う制御部を含み、
前記制御部は、
第１の期間において前記第１の光源部と前記第２の光源部を交互に発光させる制御を行い、第２の期間において前記第３の光源部と前記第４の光源部を交互に発光させる制御を行うことを特徴とする光学式検出装置。
【請求項６】
請求項１乃至４のいずれかにおいて、
前記第１の光源部〜前記第４の光源部の発光制御を行う制御部を含み、
前記制御部は、
前記第１の光源部が発光する期間である第１の発光期間における前記受光部での検出受光量と、前記第２の光源部が発光する期間である第２の発光期間における前記受光部での検出受光量とが等しくなるように、前記第１の光源部及び前記第２の光源部の発光制御を行うと共に、
前記第３の光源部が発光する期間である第３の発光期間における前記受光部での検出受光量と、前記第４の光源部が発光する期間である第４の発光期間における前記受光部での検出受光量とが等しくなるように、前記第３の光源部及び前記第４の光源部の発光制御を行うことを特徴とする光学式検出装置。
【請求項７】
請求項１乃至６のいずれかにおいて、
前記第１の照射ユニットの配置位置である第１の配置位置から、前記対象物の検出領域を規定する一端側の第１の位置へと向かう方向を第１の方向とし、
前記第１の配置位置から、前記検出領域を規定する他端側の第２の位置へと向かう方向を第２の方向とし、
前記第２の照射ユニットの配置位置である第２の配置位置から前記第１の位置へと向かう方向を第３の方向とし、
前記第２の配置位置から前記第２の位置へと向かう方向を第４の方向とし、
前記第１の配置位置から前記第２の配置位置へと向かう方向を第５の方向とし、
前記第５の方向の反対方向を第６の方向とし、
前記第２の配置位置から前記第１の配置位置へと向かう方向を第７の方向とし、
前記第７の方向の反対方向を第８の方向とした場合に、
前記第１の光源部は、前記第１の方向と前記第６の方向で規定される第１の方向範囲内に配置され、
前記第２の光源部は、前記第２の方向と前記第５の方向で規定される第２の方向範囲内に配置され、
前記第３の光源部は、前記第３の方向と前記第７の方向で規定される第３の方向範囲内に配置され、
前記第４の光源部は、前記第４の方向と前記第８の方向で規定される第４の方向範囲内に配置されることを特徴とする光学式検出装置。
【請求項８】
請求項１乃至６のいずれかにおいて、
前記第１の照射ユニットの配置位置である第１の配置位置から、前記対象物の検出領域を規定する一端側の第１の位置へと向かう方向を第１の方向とし、
前記第１の配置位置から、前記検出領域を規定する他端側の第２の位置へと向かう方向を第２の方向とし、
前記第２の照射ユニットの配置位置である第２の配置位置から前記第１の位置へと向かう方向を第３の方向とし、
前記第２の配置位置から前記第２の位置へと向かう方向を第４の方向とした場合に、
前記第１の照射ユニットは、
前記第１の方向と前記第２の方向で規定される方向範囲を含む第１の照射方向範囲で前記第１の照射光を出射し、
前記第２の照射ユニットは、
前記第３の方向と前記第４の方向で規定される方向範囲を含む第２の照射方向範囲で前記第２の照射光を出射することを特徴とする光学式検出装置。
【請求項９】
請求項１乃至８のいずれかにおいて、
前記第１の照射ユニット及び前記第２の照射ユニットの各照射ユニットは、照射光の照射方向を前記対象物の検出領域の面に沿った方向に規制する照射方向規制部を含むことを特徴とする光学式検出装置。
【請求項１０】
請求項９において、
前記照射方向規制部は、前記検出領域の面に沿った第１のスリット面及び第２のスリット面を有するスリットであることを特徴とする光学式検出装置。
【請求項１１】
請求項１０において、
前記第１のスリット面及び前記第２のスリット面には凹部が形成されていることを特徴とする光学式検出装置。
【請求項１２】
請求項１乃至１１のいずれかに記載の光学式検出装置を含むことを特徴とする表示装置。
【請求項１３】
請求項１乃至１２のいずれかに記載の光学式検出装置を含むことを特徴とする電子機器。
【発明の詳細な説明】
【技術分野】
【０００１】
本発明は、光学式検出装置、表示装置及び電子機器等に関する。
【背景技術】
【０００２】
携帯電話、パーソナルコンピューター、カーナビゲーション装置、券売機、銀行の端末などの電子機器では、近年、表示部の前面にタッチパネルが配置された位置検出機能付きの表示装置が用いられる。この表示装置によれば、ユーザーは、表示部に表示された画像を参照しながら、表示画像のアイコン等をポインティングしたり、情報を入力することが可能になる。このようなタッチパネルによる位置検出方式としては、例えば抵抗膜方式や静電容量方式などが知られている。
【０００３】
一方、投写型表示装置（プロジェクター）やデジタルサイネージ用の表示装置では、携帯電話やパーソナルコンピューターの表示装置に比べて、その表示エリアが広い。従って、これらの表示装置において、上述の抵抗膜方式や静電容量方式のタッチパネルを用いて位置検出を実現することは難しい。
【０００４】
また投写型表示装置用の位置検出装置の従来技術としては、例えば特許文献１、２に開示される技術が知られている。しかしながら、この位置検出装置では、システムが大掛かりになってしまうなどの問題がある。
【先行技術文献】
【特許文献】
【０００５】
【特許文献１】特開平１１−３４５０８５
【特許文献２】特開２００１−１４２６４３
【発明の概要】
【発明が解決しようとする課題】
【０００６】
本発明の幾つかの態様によれば、広い範囲での対象物の位置検出が可能な光学式検出装置、表示装置及び電子機器等を提供できる。
【課題を解決するための手段】
【０００７】
本発明の一態様は、照射方向に応じて強度が異なる第１の照射光を放射状に出射する第１の照射ユニットと、照射方向に応じて強度が異なる第２の照射光を放射状に出射する第２の照射ユニットと、前記第１の照射ユニットからの前記第１の照射光が対象物に反射されることによる第１の反射光と、前記第２の照射ユニットからの前記第２の照射光が前記対象物に反射されることによる第２の反射光とを受光する受光部と、前記受光部での受光結果に基づいて、前記対象物の位置を検出する検出部とを含む光学式検出装置に関係する。
【０００８】
本発明の一態様によれば、第１の照射ユニットからは、照射方向に応じて強度が異なる第１の照射光が放射状に出射され、第２の照射ユニットからは、照射方向に応じて強度が異なる第２の照射光が放射状に出射される。そして第１の照射光が対象物に反射されることによる第１の反射光と、第２の照射光が対象物に反射されることによる第２の反射光が受光部により受光され、受光結果に基づいて対象物の位置が検出される。このような構成の光学式検出装置によれば、放射状に出射される第１の照射光による第１の反射光と、放射状に出射される第２の照射光による第２の反射光を用いて、対象物の位置を検出できるため、広い範囲での対象物の位置の検出が可能な光学式検出装置を実現できる。
【０００９】
また本発明の一態様では、前記検出部は、前記第１の反射光の受光結果に基づいて、前記第１の照射ユニットに対する前記対象物の方向を第１の方向として検出し、前記第２の反射光の受光結果に基づいて、前記第２の照射ユニットに対する前記対象物の方向を第２の方向として検出し、検出された前記第１の方向及び前記第２の方向と、前記第１の照射ユニットと前記第２の照射ユニットの間の距離とに基づいて、前記対象物の位置を検出してもよい。
【００１０】
このようにすれば、第１の照射ユニットに対する対象物の方向である第１の方向と、第２の照射ユニットに対する対象物の方向である第２の方向を検出することで、これらの第１、第２の方向と第１、第２の照射ユニット間の距離から、対象物の位置を適正に検出できるようになる。
【００１１】
また本発明の一態様では、前記第１の照射ユニットと前記第２の照射ユニットは、前記対象物の検出領域の面に沿った方向において所与の距離だけ離れて配置されいてもよい。
【００１２】
このようにすれば、対象物の検出領域の面に沿った方向において、放射状の第１の照射光と、放射状の第２の照射光が出射されるようになるため、広い範囲での対象物の検出が可能になる。
【００１３】
また本発明の一態様では、前記第１の照射ユニットは、第１の光源光を出射する第１の光源部と、第２の光源光を出射する第２の光源部と、一端側の光入射面に入射された前記第１の光源光を曲線状の導光経路に沿って導光すると共に他端側の光入射面に入射された前記第２の光源光を曲線状の導光経路に沿って導光する曲線形状の第１のライトガイドと、前記第１のライトガイドの外周側から出射される前記第１の光源光又は前記第２の光源光を受け、曲線形状の前記第１のライトガイドの内周側から外周側へと向かう方向に前記第１の照射光の照射方向を設定する第１の照射方向設定部を含み、前記第２の照射ユニットは、第３の光源光を出射する第３の光源部と、第４の光源光を出射する第４の光源部と、一端側の光入射面に入射された前記第３の光源光を曲線状の導光経路に沿って導光すると共に他端側の光入射面に入射された前記第４の光源光を曲線状の導光経路に沿って導光する曲線形状の第２のライトガイドと、前記第２のライトガイドの外周側から出射される前記第３の光源光又は前記第４の光源光を受け、曲線形状の前記第２のライトガイドの内周側から外周側へと向かう方向に前記第２の照射光の照射方向を設定する第２の照射方向設定部を含んでもよい。
【００１４】
このようにすれば、例えば第１、第２の照射ユニットの各照射ユニットに対して、１個のライトガイドを設けるだけで済むため、装置のコンパクト化等を図れる。
【００１５】
また本発明の一態様では、前記第１の照射ユニットは、第１の光源光を出射する第１の光源部と、第２の光源光を出射する第２の光源部と、一端側の光入射面に入射された前記第１の光源光を曲線状の導光経路に沿って導光する曲線形状の第１のライトガイドと、他端側の光入射面に入射された前記第２の光源光を曲線状の導光経路に沿って導光する曲線形状の第２のライトガイドと、前記第１のライトガイドの外周側から出射される前記第１の光源光又は前記第２のライトガイドの外周側から出射される前記第２の光源光を受け、曲線形状の前記第１のライトガイド及び前記第２のライトガイドの内周側から外周側へと向かう方向に前記第１の照射光の照射方向を設定する第１の照射方向設定部を含み、前記第２の照射ユニットは、第３の光源光を出射する第３の光源部と、第４の光源光を出射する第４の光源部と、一端側の光入射面に入射された前記第３の光源光を曲線状の導光経路に沿って導光する曲線形状の第３のライトガイドと、他端側の光入射面に入射された前記第４の光源光を曲線状の導光経路に沿って導光する曲線形状の第４のライトガイドと、前記第３のライトガイドの外周側から出射される前記第３の光源光又は前記第４のライトガイドの外周側から出射される前記第４の光源光を受け、曲線形状の前記第３のライトガイド及び前記第４のライトガイドの内周側から外周側へと向かう方向に前記第２の照射光の照射方向を設定する第２の照射方向設定部を含んでもよい。
【００１６】
このように第１、第２の照射ユニットの各照射ユニットに対して２個のライトガイドを設ける構成にすれば、出光特性の調整等の光学設計を簡素化することなどが可能になる。
【００１７】
また本発明の一態様では、前記第１の照射ユニットの前記第１の光源部が前記第１の光源光を出射することで、第１の照射光強度分布を前記対象物の検出領域に形成し、前記第１の照射ユニットの前記第２の光源部が前記第２の光源光を出射することで、前記第１の照射強度分布とは強度分布が異なる第２の照射光強度分布を前記検出領域に形成し、前記第２の照射ユニットの前記第３の光源部が前記第３の光源光を出射することで、第３の照射光強度分布を前記検出領域に形成し、前記第２の照射ユニットの前記第４の光源部が前記第４の光源光を出射することで、前記第３の照射強度分布とは強度分布が異なる第４の照射光強度分布を前記検出領域に形成してもよい。
【００１８】
このようすれば、第１の照射光強度分布を形成した際の受光結果と、第２の照射光強度分布を形成した際の受光結果に基づいて、対象物を検出し、第３の照射光強度分布を形成した際の受光結果と、第４の照射光強度分布を形成した際の受光結果に基づいて、対象物を検出できるようになる。従って、環境光等の外乱光の影響を低減した対象物の検出が可能になり、検出精度等を向上できる。
【００１９】
また本発明の一態様では、前記第１の照射光強度分布は、前記第１の照射ユニットの一端側から他端側に向かうにつれて照射光の強度が低くなる強度分布であり、前記第２の照射光強度分布は、前記第１の照射ユニットの他端側から一端側に向かうにつれて照射光の強度が低くなる強度分布であり、前記第３の照射光強度分布は、前記第２の照射ユニットの一端側から他端側に向かうにつれて照射光の強度が低くなる強度分布であり、前記第４の照射光強度分布は、前記第２の照射ユニットの他端側から一端側に向かうにつれて照射光の強度が低くなる強度分布であってもよい。
【００２０】
このようにすれば、照射方向に応じて強度が異なるような照射光強度分布を形成できるため、この強度分布を利用して、対象物の位置を簡素な処理で検出することが可能になる。
【００２１】
また本発明の一態様では、前記第１の光源部〜前記第４の光源部の発光制御を行う制御部を含み、前記制御部は、第１の期間において前記第１の光源部と前記第２の光源部を交互に発光させる制御を行い、第２の期間において前記第３の光源部と前記第４の光源部を交互に発光させる制御を行ってもよい。
【００２２】
このようにすれば、制御部が、第１の期間において第１、第２の光源部を交互に発光させることで、第１、第２の照射光強度分布を形成して対象物の方向等を検出し、第２の期間において第３、第４の光源部を交互に発光させることで、第３、第４の照射光強度分布を形成して対象物の方向等を検出できるようになる。
【００２３】
また本発明の一態様では、前記第１の光源部〜前記第４の光源部の発光制御を行う制御部を含み、前記制御部は、前記第１の光源部が発光する期間である第１の発光期間における前記受光部での検出受光量と、前記第２の光源部が発光する期間である第２の発光期間における前記受光部での検出受光量とが等しくなるように、前記第１の光源部及び前記第２の光源部の発光制御を行うと共に、前記第３の光源部が発光する期間である第３の発光期間における前記受光部での検出受光量と、前記第４の光源部が発光する期間である第４の発光期間における前記受光部での検出受光量とが等しくなるように、前記第３の光源部及び前記第４の光源部の発光制御を行ってもよい。
【００２４】
このようにすれば第１の照射光強度分布の形成時の外乱光の影響と第２の照射光強度分布の形成時の外乱光の影響を相殺したり、第３の照射光強度分布の形成時の外乱光の影響と第４の照射光強度分布の形成時の外乱光の影響を相殺することなどが可能になり、検出精度等を向上できる。なお第１の発光期間での検出受光量と第２の発光期間での検出受光量とが等しくなるようにする発光制御や第３の発光期間での検出受光量と第４の発光期間での検出受光量とが等しくなるようにする発光制御は、参照用光源部を介して行う発光制御であってもよい。
【００２５】
また本発明の一態様では、前記第１の照射ユニットの配置位置である第１の配置位置から、前記対象物の検出領域を規定する一端側の第１の位置へと向かう方向を第１の方向とし、前記第１の配置位置から、前記検出領域を規定する他端側の第２の位置へと向かう方向を第２の方向とし、前記第２の照射ユニットの配置位置である第２の配置位置から前記第１の位置へと向かう方向を第３の方向とし、前記第２の配置位置から前記第２の位置へと向かう方向を第４の方向とし、前記第１の配置位置から前記第２の配置位置へと向かう方向を第５の方向とし、前記第５の方向の反対方向を第６の方向とし、前記第２の配置位置から前記第１の配置位置へと向かう方向を第７の方向とし、前記第７の方向の反対方向を第８の方向とした場合に、前記第１の光源部は、前記第１の方向と前記第６の方向で規定される第１の方向範囲内に配置され、前記第２の光源部は、前記第２の方向と前記第５の方向で規定される第２の方向範囲内に配置され、前記第３の光源部は、前記第３の方向と前記第７の方向で規定される第３の方向範囲内に配置され、前記第４の光源部は、前記第４の方向と前記第８の方向で規定される第４の方向範囲内に配置されてもよい。
【００２６】
このように第１、第２、第３、第４の光源部を、各々、第１、第２、第３、第４の方向範囲内に配置すれば、第１、第２の位置等により規定される検出領域に存在する対象物の位置を適正に検出できるようになる。また無駄な照射方向に対して照射光が出射されるのを抑止でき、照射光強度分布の設定の容易化等も図れる。
【００２７】
また本発明の一態様では、前記第１の照射ユニットの配置位置である第１の配置位置から、前記対象物の検出領域を規定する一端側の第１の位置へと向かう方向を第１の方向とし、前記第１の配置位置から、前記検出領域を規定する他端側の第２の位置へと向かう方向を第２の方向とし、前記第２の照射ユニットの配置位置である第２の配置位置から前記第１の位置へと向かう方向を第３の方向とし、前記第２の配置位置から前記第２の位置へと向かう方向を第４の方向とした場合に、前記第１の照射ユニットは、前記第１の方向と前記第２の方向で規定される方向範囲を含む第１の照射方向範囲で前記第１の照射光を出射し、前記第２の照射ユニットは、前記第３の方向と前記第４の方向で規定される方向範囲を含む第２の照射方向範囲で前記第２の照射光を出射してもよい。
【００２８】
このようにすれば、第１の照射ユニットは第１の照射方向範囲で第１の照射光を出射し、第２の照射ユニットは第２の照射方向範囲で第２の照射光を出射すれば済むようになる。従って、無駄な照射方向に対して照射光が出射されるのを抑止でき、照射光強度分布の設定の容易化等も図れる。
【００２９】
また本発明の一態様では、前記第１の照射ユニット及び前記第２の照射ユニットの各照射ユニットは、照射光の照射方向を前記対象物の検出領域の面に沿った方向に規制する照射方向規制部を含んでもよい。
【００３０】
このようにすれば、対象物の検出領域に交差する方向に照射光が広がってしまう事態を抑止できるため、誤検出等の防止が可能になる。
【００３１】
また本発明の一態様では、前記照射方向規制部は、前記検出領域の面に沿った第１のスリット面及び第２のスリット面を有するスリットであってもよい。
【００３２】
このようにすれば、光学式検出装置の筺体にスリットを設けるだけで、照射光の照射方向を対象物の検出領域の面に沿った方向に規制できるようになる。
【００３３】
また本発明の一態様では、前記第１のスリット面及び前記第２のスリット面には凹部が形成されていてもよい。
【００３４】
このようにすれば、第１、第２のスリット面での表面反射を抑制することが可能になり、照射光が広がってしまう事態を、より効果的に抑止することが可能になる。
【００３５】
また本発明の他の態様は、上記のいずれかに記載の光学式検出装置を含む表示装置に関係する。
【００３６】
また本発明の他の態様は、上記のいずれかに記載の光学式検出装置を含む電子機器に関係する。
【図面の簡単な説明】
【００３７】
【図１】図１（Ａ）、図１（Ｂ）は本実施形態の光学式検出装置、表示装置等の基本構成例。
【図２】図２（Ａ）、図２（Ｂ）は本実施形態の検出手法の説明図。
【図３】図３（Ａ）、図３（Ｂ）は本実施形態の検出手法の説明図。
【図４】本実施形態の光学式検出装置の第１の構成例。
【図５】本実施形態の光学式検出装置の第２の構成例。
【図６】第２の構成例でのライトガイドの配置についての説明図。
【図７】図７（Ａ）、図７（Ｂ）は本実施形態の検出手法を説明するための信号波形例。
【図８】光源部を配置する方向範囲や照射方向範囲についての説明図。
【図９】図９（Ａ）、図９（Ｂ）は照射方向規制部の説明図。
【図１０】照射ユニットの詳細な構造例。
【図１１】照射ユニットの詳細な構造例。
【図１２】照射ユニットの詳細な構造例。
【図１３】図１３（Ａ）、図１３（Ｂ）は照射方向設定部の説明図。
【図１４】図１４（Ａ）〜図１４（Ｃ）はプリズムシート、拡散シートの説明図。
【図１５】照射方向の設定手法についての説明図。
【図１６】検出部等の詳細な構成例。
【発明を実施するための形態】
【００３８】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００３９】
１．基本構成
図１（Ａ）、図１（Ｂ）に本実施形態の光学式検出装置及びこれを用いた表示装置や電子機器の基本構成例を示す。図１（Ａ）、図１（Ｂ）は本実施形態の光学式検出装置を、液晶プロジェクター或いはデジタル・マイクロミラー・デバイスと呼ばれる投写型表示装置（プロジェクター）に適用した場合の例である。図１（Ａ）、図１（Ｂ）では、互いに交差する軸をＸ軸、Ｙ軸、Ｚ軸（広義には第１、第２、第３の座標軸）としている。具体的には、Ｘ軸方向を横方向とし、Ｙ軸方向を縦方向とし、Ｚ軸方向を奥行き方向としている。
【００４０】
本実施形態の光学式検出装置は、第１の照射ユニットＥＵ１と第２の照射ユニットＥＵ２と受光部ＲＵと検出部５０を含む。また制御部６０を含む。また本実施形態の表示装置（電子機器）は、光学式検出装置とスクリーン２０（広義には表示部）を含む。更に表示装置（電子機器）は画像投射装置１０（広義には画像生成装置）を含むことができる。なお、本実施形態の光学式検出装置、表示装置、電子機器は図１（Ａ）、図１（Ｂ）の構成に限定されず、その構成要素の一部を省略したり、他の構成要素を追加するなどの種々の変形実施が可能である。
【００４１】
画像投射装置１０は、筺体の前面側に設けられた投射レンズからスクリーン２０に向けて画像表示光を拡大投射する。具体的には画像投射装置１０は、カラー画像の表示光を生成して、投射レンズを介してスクリーン２０に向けて出射する。これによりスクリーン２０の表示エリアＡＲＤにカラー画像が表示されるようになる。
【００４２】
本実施形態の光学式検出装置は、図１（Ｂ）に示すようにスクリーン２０の前方側（Ｚ軸方向側）に設定された検出領域ＲＤＥＴにおいて、ユーザーの指やタッチペンなどの対象物を光学的に検出する。このために光学式検出装置の第１、第２の照射ユニットＥＵ１、ＥＵ２は、対象物を検出するための照射光（検出光）を出射する。
【００４３】
具体的には、第１の照射ユニットＥＵ１は、照射方向に応じて強度（照度）が異なる第１の照射光を放射状（法線方向、半径方向に沿った方向）に出射する。また第２の照射ユニットＥＵ２は、照射方向に応じて強度（照度）が異なる第２の照射光を放射状（法線方向、半径方向に沿った方向）に出射する。例えば第１の照射ユニットＥＵ１は第１の期間において第１の照射光を放射状に出射し、第２の照射ユニットＥＵ２は第２の期間において第２の照射光を放射状に出射する。これにより検出領域ＲＤＥＴには、照射方向に応じて強度が異なる照射光強度分布が形成される。例えば第１の期間において、第１の照射ユニットＥＵ１からの照射光により、照射方向に応じて強度が異なる照射光強度分布が検出領域ＲＤＥＴに形成される。一方、第２の期間において、第２の照射ユニットＥＵ２からの照射光により、照射方向に応じて強度が異なる照射光強度分布が検出領域ＲＤＥＴに形成される。なお検出領域ＲＤＥＴは、スクリーン２０（表示部）のＺ方向側（ユーザー側）において、ＸＹ平面に沿って設定される領域である。
【００４４】
受光部ＲＵは、第１、第２の照射ユニットＥＵ１、ＥＵ２からの照射光が対象物に反射されることによる反射光を受光する。例えば受光部ＲＵは、第１の照射ユニットＥＵ１からの第１の照射光が対象物に反射されることによる第１の反射光を受光する。また第２の照射ユニットＥＵ２からの第２の照射光が対象物に反射されることによる第２の反射光を受光する。この受光部ＲＵは、例えばフォトダイオードやフォトトランジスターなどの受光素子により実現できる。この受光部ＲＵには検出部５０が例えば電気的に接続されている。
【００４５】
検出部５０は、受光部ＲＵでの受光結果に基づいて、少なくとも対象物の位置を検出する。この検出部５０の機能は、アナログ回路等を有する集積回路装置や、マイクロコンピュータ上で動作するソフトウェア（プログラム）などにより実現できる。例えば検出部５０は、受光部ＲＵの受光素子が対象物からの反射光を受光することで発生した検出電流を、検出電圧に変換し、受光結果である検出電圧に基づいて、対象物の位置を検出する。
【００４６】
具体的には、第１、第２の照射ユニットＥＵ１、ＥＵ２は、対象物の検出領域ＲＤＥＴの面に沿った方向において所与の距離だけ離れて配置される。例えば図１（Ａ）、図１（Ｂ）では、Ｘ軸方向に沿って所与の距離だけ離れた第１、第２の照射ユニットＥＵ１、ＥＵ２が配置される。
【００４７】
そして検出部５０は、照射ユニットＥＵ１からの第１の照射光が対象物に反射されることによる第１の反射光の受光結果に基づいて、第１の照射ユニットＥＵ１に対する対象物の方向を第１の方向として検出する。また第２の照射ユニットＥＵ２からの第２の照射光が対象物に反射されることによる第２の反射光の受光結果に基づいて、第２の照射ユニットＥＵ２に対する対象物の方向を第２の方向として検出する。そして検出された第１、第２の方向と、第１、第２の照射ユニット間の距離とに基づいて、対象物の位置を検出する。具体的には検出領域ＲＤＥＴのＸＹ平面でのＸ、Ｙ座標を検出する。
【００４８】
制御部６０は光学式検出装置の各種の制御処理を行う。具体的にはＥＵ１、ＥＵ２の各照射ユニットが有する光源部の発光制御などを行う。この制御部６０は照射ユニットＥＵ１、ＥＵ２、検出部５０に電気的に接続されている。制御部６０の機能は、集積回路装置やマイクロコンピュータ上で動作するソフトウェアなどにより実現できる。例えば、照射ユニットＥＵ１が第１、第２の光源部を含み、照射ユニットＥＵ２が第３、第４の光源部を含むとする。この場合に制御部６０は、照射ユニットＥＵ１に対する対象物の方向を求める第１の期間において、照射ユニットＥＵ１の第１、第２の光源部を交互に発光させる制御を行う。また照射ユニットＥＵ２に対する対象物の方向を求める第２の期間において、照射ユニットＥＵ２の第３、第４の光源部を交互に発光させる制御を行う。
【００４９】
なお本実施形態の光学式検出装置は、図１（Ａ）に示す投写型表示装置には限定されず、各種の電子機器に搭載される様々な表示装置に適用できる。また本実施形態の光学式検出装置を適用できる電子機器としては、パーソナルコンピューター、カーナビゲーション装置、券売機、携帯情報端末、或いは銀行の端末などの様々な機器を想定できる。この電子機器は、例えば画像を表示する表示部（表示装置）や、情報を入力するための入力部や、入力された情報等に基づいて各種の処理を行う処理部などを含むことができる。
【００５０】
２．対象物の検出手法
次に本実施形態による対象物の検出手法について詳細に説明する。なお、ここでは図１（Ａ）の照射ユニットＥＵ１、ＥＵ２の一方の照射ユニットの構成、動作について説明するが、他方の照射ユニットの構成、動作も同様である。
【００５１】
図２（Ａ）に示すように本実施形態の光学式検出装置の各照射ユニット（ＥＵ１、ＥＵ２）は、光源部ＬＳ１と、ライトガイドＬＧと、照射方向設定部ＬＥを含む。また反射シートＲＳを含む。そして照射方向設定部ＬＥは光学シートＰＳ及びルーバーフィルムＬＦを含む。なお、これらの構成要素の一部を省略したり、他の構成要素を追加するなどの種々の変形実施が可能である。
【００５２】
光源部ＬＳ１は、光源光を出射するものであり、ＬＥＤ（発光ダイオード）等の発光素子を有する。この光源部ＬＳ１は例えば赤外光（可視光領域に近い近赤外線）の光源光を放出する。即ち、光源部ＬＳ１が発光する光源光は、ユーザーの指やタッチペン等の対象物により効率的に反射される波長帯域の光や、外乱光となる環境光にあまり含まれない波長帯域の光であることが望ましい。具体的には、人体の表面での反射率が高い波長帯域の光である８５０ｎｍ付近の波長の赤外光や、環境光にあまり含まれない波長帯域の光である９５０ｎｍ付近の赤外光などである。
【００５３】
ライトガイドＬＧ（導光部材）は、光源部ＬＳ１が発光した光源光を導光するものである。例えばライトガイドＬＧは、光源部ＬＳ１からの光源光を曲線状の導光経路に沿って導光し、その形状は曲線形状になっている。具体的には図２（Ａ）ではライガイドＬＧは円弧形状になっている。なお図２（Ａ）ではライトガイドＬＧはその中心角が１８０度の円弧形状になっているが、中心角が１８０度よりも小さい円弧形状であってもよい。ライトガイドＬＧは、例えばアクリル樹脂やポリカーボネートなどの透明な樹脂部材等により形成される。そして光源部ＬＳ１からの光源光は、ライトガイドＬＧの一端側（図２（Ａ）では左側）の光入射面に入射される。
【００５４】
ライトガイドＬＧの外周側（Ｂ１に示す側）及び内周側（Ｂ２に示す側）の少なくとも一方には、ライトガイドＬＧからの光源光の出光効率を調整するための加工が施されている。加工手法としては、例えば反射ドットを印刷するシルク印刷方式や、スタンパーやインジェクションで凹凸を付ける成型方式や、溝加工方式などの種々の手法を採用できる。
【００５５】
プリズムシートＰＳとルーバーフィルムＬＦにより実現される照射方向設定部ＬＥ（照射光出射部）は、ライトガイドＬＧの外周側に設けられ、ライトガイドＬＧの外周側（外周面）から出射される光源光を受ける。そして曲線形状（円弧形状）のライトガイドＬＧの内周側（Ｂ２）から外周側（Ｂ１）へと向かう方向に照射方向が設定された照射光ＬＴを出射する。即ち、ライトガイドＬＧの外周側から出射される光源光の方向を、ライトガイドＬＧの例えば法線方向（半径方向）に沿った照射方向に設定（規制）する。これにより、ライトガイドＬＧの内周側から外周側に向かう方向に、照射光ＬＴが放射状に出射されるようになる。
【００５６】
このような照射光ＬＴの照射方向の設定は、照射方向設定部ＬＥのプリズムシートＰＳやルーバーフィルムＬＦなどにより実現される。例えばプリズムシートＰＳは、ライトガイドＬＧの外周側から低視角で出射される光源光の方向を、法線方向側に立ち上げて、出光特性のピークが法線方向になるように設定する。またルーバーフィルムＬＦは、法線方向以外の方向の光（低視角光）を遮光（カット）する。なお、後述するように照射方向設定部ＬＥに拡散シート等を設けてよい。また反射シートＲＳは、ライトガイドＬＧの内周側に設けられる。このように反射シートＲＳを内周側に設けることで、外周側への光源光の出光効率を改善できる。
【００５７】
そして図２（Ａ）に示すように、光源部ＬＳ１が、ライトガイドＬＧの一端側（Ｂ３）の光入射面に対して光源光を出射することで、第１の照射光強度分布ＬＩＤ１が対象物の検出領域（図１（Ｂ）のＲＤＥＴ）に形成される。この第１の照射光強度分布ＬＩＤ１は、ライトガイドＬＧの一端側（Ｂ３）から他端側（Ｂ４）に向かうにつれて照射光の強度が低くなる強度分布である。即ち図２（Ａ）において照射光ＬＴのベクトルの大きさが強度（照度）を表しており、ライトガイドＬＧの一端側（Ｂ３）では照射光ＬＴの強度は最も大きく、他端側（Ｂ４）では強度は最も小さい。そしてライトガイドＬＧの一端側から他端側に向かうにつれて、照射光ＬＴの強度は単調減少している。
【００５８】
一方、図２（Ｂ）に示すように、第２の光源部ＬＳ２が、ライトガイドＬＧの他端側（Ｂ４）の光入射面に対して第２の光源光を出射することで、第２の照射光強度分布ＬＩＤ２が検出領域に形成される。この第２の照射光強度分布ＬＩＤ２は、第１の照射光強度分布ＬＩＤ１とは強度分布が異なり、ライトガイドＬＧの他端側（Ｂ４）から一端側（Ｂ３）に向かうにつれて照射光の強度が低くなる強度分布である。即ち図２（Ｂ）では、ライトガイドＬＧの他端側では照射光ＬＴの強度は最も大きく、一端側では強度は最も小さい。そして他端側から一端側に向かうにつれて、照射光ＬＴの強度は単調減少している。
【００５９】
このような照射光強度分布ＬＩＤ１、ＬＩＤ２を形成し、これらの強度分布の照射光による対象物の反射光を受光することで、環境光などの外乱光の影響を最小限に抑えた、より精度の高い対象物の検出が可能になる。即ち、外乱光に含まれる赤外成分を相殺することが可能になり、この赤外成分が対象物の検出に及ぼす悪影響を最小限に抑えることが可能になる。
【００６０】
例えば図３（Ａ）のＥ１は、図２（Ａ）の照射光強度分布ＬＩＤ１において、照射光ＬＴの照射方向の角度と、その角度での照射光ＬＴの強度との関係を示す図である。図３（Ａ）のＥ１では、照射方向が図３（Ｂ）のＤＤ１の方向（左方向）である場合に強度が最も高くなる。一方、ＤＤ３の方向（右方向）である場合に強度が最も低くなり、ＤＤ２の方向ではその中間の強度になる。具体的には方向ＤＤ１から方向ＤＤ３への角度変化に対して照射光の強度は単調減少しており、例えばリニア（直線的）に変化している。なお図３（Ｂ）では、ライトガイドＬＧの円弧形状の中心位置が、光学式検出装置の配置位置ＰＥになっている。
【００６１】
また図３（Ａ）のＥ２は、図２（Ｂ）の照射光強度分布ＬＩＤ２において、照射光ＬＴの照射方向の角度と、その角度での照射光ＬＴの強度との関係を示す図である。図３（Ａ）のＥ２では、照射方向が図３（Ｂ）のＤＤ３の方向である場合に強度が最も高くなる。一方、ＤＤ１の方向である場合に強度が最も低くなり、ＤＤ２の方向ではその中間の強度になる。具体的には方向ＤＤ３から方向ＤＤ１への角度変化に対して照射光の強度は単調減少しており、例えばリニアに変化している。なお図３（Ａ）では照射方向の角度と強度の関係はリニアな関係になっているが、本実施形態はこれに限定されず、例えば双曲線の関係等であってもよい。
【００６２】
そして図３（Ｂ）に示すように、角度θの方向ＤＤＢに対象物ＯＢが存在したとする。すると、図２（Ａ）のように光源部ＬＳ１が発光することで照射光強度分布ＬＩＤ１を形成した場合（Ｅ１の場合）には、図３（Ａ）に示すように、ＤＤＢ（角度θ）の方向に存在する対象物ＯＢの位置での強度はＩＮＴａになる。一方、図２（Ｂ）のように光源部ＬＳ２が発光することで照射光強度分布ＬＩＤ２を形成した場合（Ｅ２の場合）には、ＤＤＢの方向に存在する対象物ＯＢの位置での強度はＩＮＴｂになる。
【００６３】
従って、これらの強度ＩＮＴａ、ＩＮＴｂの関係を求めることで、対象物ＯＢの位置する方向ＤＤＢ（角度θ）を特定できる。そして例えば後述する図４、図５に示すように２個の照射ユニットＥＵ１、ＥＵ２を設け、ＥＵ１、ＥＵ２の各照射ユニットに対する対象物ＯＢの方向ＤＤＢ１（θ１）、ＤＤＢ２（θ２）を求めれば、これらの方向ＤＤＢ１、ＤＤＢ２と照射ユニットＥＵ１、ＥＵ２間の距離ＤＳとにより、対象物ＯＢの位置を特定できる。
【００６４】
このような強度ＩＮＴａ、ＩＮＴｂの関係を求めるために、本実施形態では、図１（Ａ）の受光部ＲＵが、図２（Ａ）のような照射光強度分布ＬＩＤ１を形成した際の対象物ＯＢの反射光（第１の反射光）を受光する。この時の反射光の検出受光量をＧａとした場合に、このＧａが強度ＩＮＴａに対応するようになる。また受光部ＲＵが、図２（Ｂ）のような照射光強度分布ＬＩＤ２を形成した際の対象物ＯＢの反射光（第２の反射光）を受光する。この時の反射光の検出受光量をＧｂとした場合に、このＧｂが強度ＩＮＴｂに対応するようになる。従って、検出受光量ＧａとＧｂの関係が求まれば、強度ＩＮＴａ、ＩＮＴｂの関係が求まり、対象物ＯＢの位置する方向ＤＤＢを求めることができる。
【００６５】
例えば図２（Ａ）の光源部ＬＳ１の制御量（例えば電流量）、変換係数、放出光量を、各々、Ｉａ、ｋ、Ｅａとする。また図２（Ｂ）の光源部ＬＳ２の制御量（電流量）、変換係数、放出光量を、各々、Ｉｂ、ｋ、Ｅｂとする。すると下式（１）、（２）が成立する。
【００６６】
Ｅａ＝ｋ・Ｉａ      （１）
Ｅｂ＝ｋ・Ｉｂ      （２）
また光源部ＬＳ１からの光源光（第１の光源光）の減衰係数をｆａとし、この光源光に対応する反射光（第１の反射光）の検出受光量をＧａとする。また光源部ＬＳ２からの光源光（第２の光源光）の減衰係数をｆｂとし、この光源光に対応する反射光（第２の反射光）の検出受光量をＧｂとする。すると下式（３）、（４）が成立する。
【００６７】
Ｇａ＝ｆａ・Ｅａ＝ｆａ・ｋ・Ｉａ          （３）
Ｇｂ＝ｆｂ・Ｅｂ＝ｆｂ・ｋ・Ｉｂ          （４）
従って、検出受光量Ｇａ、Ｇｂの比は下式（５）のように表せる。
【００６８】
Ｇａ／Ｇｂ＝（ｆａ／ｆｂ）・（Ｉａ／Ｉｂ）  （５）
ここでＧａ／Ｇｂは、受光部ＲＵでの受光結果から特定することができ、Ｉａ／Ｉｂは、制御部６０による照射ユニットの制御量から特定することができる。そして図３（Ａ）の強度ＩＮＴａ、ＩＮＴｂと減衰係数ｆａ、ｆｂとは一意の関係にある。例えば減衰係数ｆａ、ｆｂが小さな値となり、減衰量が大きい場合は、強度ＩＮＴａ、ＩＮＴｂが小さいことを意味する。一方、減衰係数ｆａ、ｆｂが大きな値となり、減衰量が小さい場合は、強度ＩＮＴａ、ＩＮＴｂが大きいことを意味する。従って、上式（５）から減衰率の比ｆａ／ｆｂを求めることで、対象物の方向、位置等を求めることが可能になる。
【００６９】
より具体的には、一方の制御量ＩａをＩｍに固定し、検出受光量の比Ｇａ／Ｇｂが１になるように、他方の制御量Ｉｂを制御する。例えば後述する図７（Ａ）のように光源部ＬＳ１、ＬＳ２を逆相で交互に点灯させる制御を行い、検出受光量の波形を解析し、検出波形が観測されなくなるように（Ｇａ／Ｇｂ＝１になるように）、他方の制御量Ｉｂを制御する。そして、このときの他方の制御量Ｉｂ＝Ｉｍ・（ｆａ／ｆｂ）から、減衰係数の比ｆａ／ｆｂを求めて、対象物の方向、位置等を求める。
【００７０】
また下式（６）、（７）のように、Ｇａ／Ｇｂ＝１になると共に制御量ＩａとＩｂの和が一定になるように制御してもよい。
【００７１】
Ｇａ／Ｇｂ＝１        （６）
Ｉｍ＝Ｉａ＋Ｉｂ      （７）
上式（６）、（７）を上式（５）に代入すると下式（８）が成立する。
【００７２】
Ｇａ／Ｇｂ＝１＝（ｆａ／ｆｂ）・（Ｉａ／Ｉｂ）
＝（ｆａ／ｆｂ）・{（Ｉｍ−Ｉｂ）／Ｉｂ}    （８）
上式（８）より、Ｉｂは下式（９）のように表される。
【００７３】
Ｉｂ＝{ｆａ／（ｆａ＋ｆｂ）}・Ｉｍ    （９）
ここでα＝ｆａ／（ｆａ＋ｆｂ）とおくと、上式（９）は下式（１０）のように表され、減衰係数の比ｆａ／ｆｂは、αを用いて下式（１１）のように表される。
【００７４】
Ｉｂ＝α・Ｉｍ                （１０）
ｆａ／ｆｂ＝α／（１−α）    （１１）
従って、Ｇａ／Ｇｂ＝１になると共にＩａとＩｂの和が一定値Ｉｍになるように制御すれば、そのときのＩｂ、Ｉｍから上式（１０）によりαを求め、求められたαを上式（１１）に代入することで、減衰係数の比ｆａ／ｆｂを求めることができる。これにより、対象物の方向、位置等を求めることが可能になる。そしてＧａ／Ｇｂ＝１になると共にＩａとＩｂの和が一定になるように制御することで、外乱光の影響等を相殺することが可能になり、検出精度の向上を図れる。
【００７５】
なお、以上では、図２（Ａ）の照射強度分布ＬＩＤ１と図２（Ｂ）の照射光強度分布ＬＩＤ２を交互に形成して、対象物の方向、位置等を検出する手法について説明した。しかしながら、検出精度の低下等をある程度許容できる場合には、図２（Ａ）の照射光強度分布ＬＩＤ１又は図２（Ｂ）の照射光強度分布ＬＩＤ２の一方だけを形成して、対象物の方向、位置等を求めることも可能である。
【００７６】
３．構成例
次に本実施形態の光学式検出装置の第１、第２の構成例について説明する。図４に光学式検出装置の第１の構成例を示す。
【００７７】
この第１の構成例では、第１の照射ユニットＥＵ１は、第１、第２の光源部ＬＳ１１、ＬＳ１２と、第１のライトガイドＬＧ１と、第１の照射方向設定部ＬＥ１を含む。第１の光源部ＬＳ１１は、図４のＦ１に示すように第１のライトガイドＬＧ１の一端側に設けられ、第１の光源光を出射する。第２の光源部ＬＳ１２は、Ｆ２に示すように第１のライトガイドＬＧ１の他端側に設けられ、第２の光源光を出射する。
【００７８】
曲線形状の第１のライトガイドＬＧ１は、一端側（Ｆ１）の光入射面に入射された第１の光源部ＬＳ１１からの第１の光源光を、曲線状の導光経路に沿って導光する。また他端側（Ｆ２）の光入射面に入射された第２の光源部ＬＳ１２からの第２の光源光を、曲線状の導光経路に沿って導光する。
【００７９】
そして第１の照射方向設定部ＬＥ１は、第１のライトガイドＬＧ１の外周側から出射される第１の光源光又は第２の光源光を受け、曲線形状の第１のライトガイドＬＧ１の内周側から外周側へと向かう方向に、第１の照射光の照射方向を設定する。この第１の照射方向設定部ＬＥ１は例えばプリズムシートＰＳ１とルーバーフィルムＬＦ１により構成される。
【００８０】
一方、第２の照射ユニットＥＵ２は、第３、第４の光源部ＬＳ２１、ＬＳ２２と、第２のライトガイドＬＧ２と、第２の照射方向設定部ＬＥ２を含む。第３の光源部ＬＳ２１は、図４のＦ３に示すように第２のライトガイドＬＧ２の一端側に設けられ、第３の光源光を出射する。第４の光源部ＬＳ２２は、Ｆ４に示すように第２のライトガイドＬＧ２の他端側に設けられ、第４の光源光を出射する。
【００８１】
曲線形状の第２のライトガイドＬＧ２は、一端側（Ｆ３）の光入射面に入射された第３の光源部ＬＳ２１からの第３の光源光を、曲線状の導光経路に沿って導光する。また他端側（Ｆ４）の光入射面に入射された第４の光源部ＬＳ２２からの第４の光源光を、曲線状の導光経路に沿って導光する。
【００８２】
そして第２の照射方向設定部ＬＥ２は、第２のライトガイドＬＧ２の外周側から出射される第３の光源光又は第４の光源光を受け、曲線形状の第２のライトガイドＬＧ２の内周側から外周側へと向かう方向に、第２の照射光の照射方向を設定する。この第２の照射方向設定部ＬＥ２は例えばプリズムシートＰＳ２とルーバーフィルムＬＦ２により構成される。
【００８３】
図５に光学式検出装置の第２の構成例を示す。この第２の構成例では、第１の照射ユニットＥＵ１は、第１の光源部ＬＳ１１と、第２の光源部ＬＳ１２と、第１のライトガイドＬＧ１１と、第２のライトガイドＬＧ１２と、第１の照射方向設定部ＬＥ１を含む。
【００８４】
第１のライトガイドＬＧ１１は、一端側（Ｇ１）の光入射面に入射された第１の光源部ＬＳ１１からの第１の光源光を曲線状の導光経路に沿って導光する。
【００８５】
第２のライトガイドＬＧ１２は、他端側（Ｇ２）の光入射面に入射された第２の光源部ＬＳ１２からの第２の光源光を曲線状の導光経路に沿って導光する。
【００８６】
第１の照射方向設定部ＬＥ１は、第１のライトガイドＬＧ１１の外周側から出射される第１の光源光又は第２のライトガイドＬＧ１２の外周側から出射される第２の光源光を受け、曲線形状の第１のライトガイドＬＧ１１及び第２のライトガイドＬＧ１２の内周側から外周側へと向かう方向に第１の照射光の照射方向を設定する。
【００８７】
一方、第２の照射ユニットＥＵ２は、第３の光源部ＬＳ２１と、第４の光源部ＬＳ２２と、第３のライトガイドＬＧ２１と、第４のライトガイドＬＧ２２と、第２の照射方向設定部ＬＥ２を含む。
【００８８】
第３のライトガイドＬＧ２１は、一端側（Ｇ３）の光入射面に入射された第３の光源部ＬＳ２１からの第３の光源光を曲線状の導光経路に沿って導光する。
【００８９】
第４のライトガイドＬＧ２２は、他端側（Ｇ４）の光入射面に入射された第４の光源部ＬＳ２２からの第４の光源光を曲線状の導光経路に沿って導光する。
【００９０】
第２の照射方向設定部ＬＥ２は、第３のライトガイドＬＧ２１の外周側から出射される第３の光源光又は第４のライトガイドＬＧ２２の外周側から出射される第４の光源光を受け、曲線形状の第３のライトガイドＬＧ２１及び第４のライトガイドＬＧ２２の内周側から外周側へと向かう方向に第２の照射光の照射方向を設定する。
【００９１】
なお図５の第２の構成例では、図面のわかりやすさのために照射ユニットＥＵ１のライトガイドＬＧ１１とＬＧ１２が円弧形状の半径方向に並んで配置されるように描かれている。また照射ユニットＥＵ２のライトガイドＬＧ２１とＬＧ２２が円弧形状の半径方向に並んで配置されるように描かれている。しかしながら、これらのライトガイドＬＧ１１とＬＧ１２や、ライトガイドＬＧ２１とＬＧ２２は、実際には、図６のような位置関係で配置されている。即ち、ライトガイドＬＧ１１とＬＧ１２は、ライトガイドＬＧ１１、ＬＧ１２と照射方向設定部ＬＥ１が並ぶ方向に沿った面に交差（直交）する方向ＤＬＧにおいて、並んで配置される。ライトガイドＬＧ２１とＬＧ２２も、ライトガイドＬＧ２１、ＬＧ２２と照射方向設定部ＬＥ２が並ぶ方向に沿った面に交差（直交）する方向ＤＬＧにおいて、並んで配置される。例えば、図１（Ｂ）の検出領域ＲＤＥＴの面（ＸＹ平面に平行な面）に交差（直交）する方向（Ｚ方向）に沿うように、ライトガイドＬＧ１１、ＬＧ１２（ＬＧ２１、ＬＧ２２）が配置される。このようにすれば、光学式検出装置の各照射ユニットにライトガイドＬＧ１１、ＬＧ１２（ＬＧ２１、ＬＧ２２）をコンパクトに収納できるようになるため、光学式検出装置が大型化してしまうのを抑止できる。
【００９２】
以上のように図４の第１の構成例では、ＥＵ１、ＥＵ２の各照射ユニットが１個のライトガイドを有するのに対して、図５の第２の構成例では、ＥＵ１、ＥＵ２の各照射ユニットが２個のライトガイドを有する。
【００９３】
そして図４、図５の第１、第２の構成例のいずれの場合でも、発光制御は以下のように実現される。具体的には、照射ユニットＥＵ１の光源部ＬＳ１１が第１の光源光を出射することで、第１の照射光強度分布を対象物の検出領域に形成（設定）する。また照射ユニットＥＵ１の光源部ＬＳ１２が第２の光源光を出射することで、第１の照射強度分布とは強度分布が異なる第２の照射光強度分布を検出領域に形成する。この場合に第１の照射光強度分布は、図２（Ａ）に示すように、照射ユニットＥＵ１の一端側（Ｆ１、Ｇ１）から他端側（Ｆ２、Ｇ２）に向かうにつれて照射光の強度が低くなる強度分布になる。一方、第２の照射光強度分布は、図２（Ｂ）に示すように、照射ユニットＥＵ１の他端側（Ｆ２、Ｇ２）から一端側（Ｆ１、Ｇ１）に向かうにつれて照射光の強度が低くなる強度分布になる。
【００９４】
また図４、図５の第１、第２の構成例のいずれの場合でも、照射ユニットＥＵ２の光源部ＬＳ２１が第３の光源光を出射することで、第３の照射光強度分布を検出領域に形成する。また照射ユニットＥＵ２の光源部ＬＳ２２が第４の光源光を出射することで、第３の照射強度分布とは強度分布が異なる第４の照射光強度分布を検出領域に形成する。この場合に第３の照射光強度分布は、図２（Ａ）に示すように、照射ユニットＥＵ２の一端側（Ｆ３、Ｇ３）から他端側（Ｆ４、Ｇ４）に向かうにつれて照射光の強度が低くなる強度分布になる。一方、第４の照射光強度分布は、図２（Ｂ）に示すように、照射ユニットＥＵ２の他端側（Ｆ４、Ｇ４）から一端側（Ｆ３、Ｇ３）に向かうにつれて照射光の強度が低くなる強度分布になる。
【００９５】
次に図４の第１の構成例と図５の第２の構成例の相違点について詳細に説明する。ここでは、照射ユニットＥＵ１、ＥＵ２のうち照射ユニットＥＵ１を例にとり説明するが、照射ユニットＥＵ２についても同様である。
【００９６】
図４の第１の構成例によれば、照射ユニットＥＵ１（ＥＵ２）に対して、１個のライトガイドＬＧ１を設けるだけで済む。従って、光学式検出装置のコンパクト化等を図れるという利点がある。
【００９７】
一方、図５の第２の構成例では、ライトガイドＬＧ１１とこれに光を入射する光源部ＬＳ１１を設けると共に、ライトガイドＬＧ１２とこれに光を入射する光源部ＬＳ１２を設ける。そして、光源部ＬＳ１１、ＬＳ１２を後述する図７（Ａ）に示すように逆相で交互に点灯させることで、図２（Ａ）の状態と図２（Ｂ）の状態を交互に作り出す。そして、対象物の反射光を受光し、受光結果に基づいて対象物の方向等を特定する。
【００９８】
この第２の構成例によれば、ライトガイドＬＧ１１、ＬＧ１２の光学設計を簡素化することが可能になる。
【００９９】
例えば図３（Ａ）に示すようなリニアな強度分布を形成するためには、シルク印刷方式等により、ライトガイドの出光特性を調整する光学設計が必要になる。即ち、光源光の減衰率が例えば０．９である場合には、９０％、８１％、７３％というように、強度は双曲線の特性で変化してしまい、リニアな変化にはならない。このため、図３（Ａ）のようなリニアな強度分布を形成する場合には、シルク印刷方式等による出光特性の調整が必要になる。
【０１００】
ところが、図４の第１の構成例のように１個のライトガイドＬＧを用いる手法では、このような出光特性の調整が難しくなる。即ち、照射光強度分布ＬＩＤ１の強度変化がリニアになるようにライトガイドの表面を加工して出光特性を調整すると、照射光強度分布ＬＩＤ２での強度変化がリニアにならなくなる。一方、照射光強度分布ＬＩＤ２の強度変化がリニアになるようにライトガイドの表面を加工して出光特性を調整すると、今度は、照射光強度分布ＬＩＤ１での強度変化がリニアにならなくなる。
【０１０１】
この点、図５の第２の構成例では、光源部ＬＳ１１に対応してライトガイドＬＧ１１が設けられ、光源部ＬＳ１２に対応してライトガイドＬＧ１２が設けられる。ライトガイドＬＧ１１については、照射光強度分布ＬＩＤ１がリニアな強度変化になるように、その表面を加工して出光特性を調整すればよい。一方、ライトガイドＬＧ１２については、照射光強度分布ＬＩＤ２がリニアな強度変化になるように、その表面を加工して出光特性を調整すればよい。従って、光学設計を簡素化できる。
【０１０２】
なお、強度変化の特性が図３（Ａ）に示すようなリニアな特性にならなく、例えば双曲線等の特性になっても、ソフトウェア等による補正処理でこれに対処することが可能である。即ち、光学的にはリニアな特性にならなくても、受光結果に対して補正処理を行うことで、リニアな特性になるように調整することができる。従って、このような補正処理を行う場合には、図５のように２個のライトガイドを設けずに、図４のように１個のライトガイドだけを設ける構成にすることで、光学式検出装置のコンパクト化等を図れる。
【０１０３】
また図４、図５の第１、第２の構成例のいずれの場合でも、受光部ＲＵを、照射ユニットＥＵ１、ＥＵ２から等距離（略等距離の場合を含む）の位置に配置することが望ましい。具体的には照射ユニットＥＵ１の配置位置ＰＥ１から受光部ＲＵの配置位置（代表位置、中心位置）までの第１の距離と、照射ユニットＥＵ２の配置位置ＰＥ２から受光部ＲＵの配置位置までの第２の距離とが等距離（略等距離）になるように、受光部ＲＵを配置する。このような左右対称の配置にすれば、照射ユニットＥＵ１からの照射光と照射ユニットＥＵ２からの照射光との差分が単調性を持つようになる。従って、これらの照射光が対象物で反射することによる反射光を受光部ＲＵが受光して対象物の座標を検出する場合に、受光部ＲＵでの受光量の検出分解能を最大限に利用することが可能になり、座標検出精度を向上できる。
【０１０４】
以上の本実施形態の光学式検出装置によれば、同心円状の曲線状のライトガイドを用いることで、角度のセンシングが可能になる。例えば受光部を共通にして２つの照射ユニットを設けることで、小型パッケージが可能で、広い範囲をセンシングできる光学式検出装置を実現できる。
【０１０５】
また本実施形態の光学式検出装置によればライトガイドが曲線状になっているため、照射光を放射状に出射することができ、直線形状のライトガイド等を用いる手法に比べて、広い範囲での対象物の方向、位置等の検出が可能になる。例えば直線形状のライトガイドを用いる手法では、広い範囲での検出を可能にするためには、ライトガイドの長さを長くする必要があり、システムが大掛かりなものになってしまう。これに対して本実施形態によれば、図１（Ａ）に示すように、少ない占有面積の照射ユニットを配置するだけで、広い範囲での対象物の方向、位置等を検出することが可能になる。また本実施形態の光学式検出装置によれば、例えば表示エリアの４隅に光源部（照射ユニット）を配置する手法等に比べて、検出システムのコンパクト化を図れる。更に照射ユニットの配置数も例えば２個で済むため、機器の設置の自由度も高くなる。また本実施形態では例えば図１（Ａ）のように表示エリアの上側に照射ユニットを配置するだけで、対象物の方向、位置等を検出できるため、機器の設置も容易になる。また、表示エリアの４隅に光源部を配置する手法では、これらの４隅に配置される光源部の存在が、表示エリアへの画像表示の邪魔になってしまうおそれもあるが、本実施形態の光学式検出装置によればこのような事態も抑止できる。
【０１０６】
４．位置検出手法
次に本実施形態の光学式検出装置を用いて対象物の位置を検出する手法の一例について説明する。図７（Ａ）は、図４、図５の光源部ＬＳ１１、ＬＳ１２、ＬＳ２１、ＬＳ２２の発光制御についての信号波形例である。信号ＳＬＳ１１は、照射ユニットＥＵ１の光源部ＬＳ１１の発光制御信号であり、信号ＳＬＳ１２は、光源部ＬＳ１２の発光制御信号である。これらの信号ＳＬＳ１１、ＳＬＳ１２は逆相の信号になっている。また信号ＳＬＳ２１は、照射ユニットＥＵ２の光源部ＬＳ２１の発光制御信号であり、信号ＳＬＳ２２は、光源部ＬＳ２２の発光制御信号である。これらの信号ＳＬＳ２１、ＳＬＳ２２は逆相の信号になっている。
【０１０７】
例えば照射ユニットＥＵ１の光源部ＬＳ１１は、信号ＳＬＳ１１がＨレベルの場合に点灯（発光）し、Ｌレベルの場合に消灯する。また光源部ＬＳ１２は、信号ＳＬＳ１２がＨレベルの場合に点灯（発光）し、Ｌレベルの場合に消灯する。従って図７（Ａ）の第１の期間Ｔ１では、光源部ＬＳ１１と光源部ＬＳ１２が交互に点灯するようになる。即ち光源部ＬＳ１１が点灯している期間では、光源部ＬＳ１２は消灯する。これにより図２（Ａ）に示すような照射光強度分布ＬＩＤ１が形成される。一方、光源部ＬＳ１２が点灯している期間では、光源部ＬＳ１１は消灯する。これにより図２（Ｂ）に示すような照射光強度分布ＬＩＤ２が形成される。
【０１０８】
一方、照射ユニットＥＵ２の光源部ＬＳ２１は、信号ＳＬＳ２１がＨレベルの場合に点灯し、Ｌレベルの場合に消灯する。また光源部ＬＳ２２は、信号ＳＬＳ２２がＨレベルの場合に点灯し、Ｌレベルの場合に消灯する。従って図７（Ａ）の第２の期間Ｔ２では、光源部ＬＳ２１と光源部ＬＳ２２が交互に点灯するようになる。即ち光源部ＬＳ２１が点灯している期間では、光源部ＬＳ２２は消灯する。これにより図２（Ａ）に示すような照射光強度分布ＬＩＤ１が形成される。一方、光源部ＬＳ２２が点灯している期間では、光源部ＬＳ２１は消灯する。これにより図２（Ｂ）に示すような照射光強度分布ＬＩＤ２が形成される。
【０１０９】
このように図１の制御部６０は、第１の期間Ｔ１において、光源部ＬＳ１１と光源部ＬＳ１２を交互に発光（点灯）させる制御を行う。そしてこの第１の期間Ｔ１において、照射ユニットＥＵ１から見た対象物の位置する方向ＤＤＢ１が検出される。具体的には、例えば上述した式（６）、（７）のようにＧａ／Ｇｂ＝１になると共に制御量ＩａとＩｂの和が一定になるような発光制御を、第１の期間Ｔ１において行う。そして図４、図５において対象物ＯＢの位置する方向ＤＤＢ１（角度θ１）を求める。例えば上式（１０）、（１１）から減衰係数の比ｆａ／ｆｂを求め、図３（Ａ）、図３（Ｂ）で説明した手法により対象物ＯＢの方向ＤＤＢ１を求める。
【０１１０】
一方、制御部６０は、第１の期間Ｔ１に続く第２の期間Ｔ２では、光源部ＬＳ２１と光源部ＬＳ２２を交互に発光させる制御を行う。そしてこの第２の期間Ｔ２において、照射ユニットＥＵ２から見た対象物の位置する方向ＤＤＢ２が検出される。具体的には、例えば上述した式（６）、（７）のようにＧａ／Ｇｂ＝１になると共に制御量ＩａとＩｂの和が一定になるような発光制御を、第２の期間Ｔ２において行う。そして図４、図５において対象物ＯＢの位置する方向ＤＤＢ２（角度θ２）を求める。例えば上式（１０）、（１１）から減衰係数の比ｆａ／ｆｂを求め、図３（Ａ）、図３（Ｂ）で説明した手法により対象物ＯＢの方向ＤＤＢ２を求める。
【０１１１】
このように制御部６０は、光源部ＬＳ１１が発光する期間である第１の発光期間における受光部ＲＵでの検出受光量Ｇａと、光源部ＬＳ１２が発光する期間である第２の発光期間における受光部ＲＵでの検出受光量Ｇｂとが等しくなるように、光源部ＬＳ１１、ＬＳ１２の発光制御を行う。これにより検出部５０は、照射ユニットＥＵ１に対する対象物ＯＢの方向ＤＤＢ１を求める。また光源部ＬＳ２１が発光する期間である第３の発光期間における受光部ＲＵでの検出受光量Ｇａと、光源部ＬＳ２２が発光する期間である第４の発光期間における受光部ＲＵでの検出受光量Ｇｂとが等しくなるように、光源部ＬＳ２１、ＬＳ２２の発光制御を行う。これにより検出部５０は、照射ユニットＥＵ２に対する対象物ＯＢの方向ＤＤＢ２を求める。
【０１１２】
そして本実施形態では、このようにして求められた対象物ＯＢの方向ＤＤＢ１（第１の方向）及び方向ＤＤＢ２（第２の方向）と、照射ユニットＥＵ１、ＥＵ２の間の距離ＤＳに基づいて、対象物ＯＢの位置ＰＯＢを求める。このようにすれば、検出された方向ＤＤＢ１、ＤＤＢ２と、既知の距離ＤＳに基づいて、対象物ＯＢの位置ＰＯＢを特定できるようになり、簡素な処理で位置ＰＯＢを求めることが可能になる。
【０１１３】
５．照射方向範囲の設定、光源部の配置
さて図４、図５では、ライトガイド等が、中心角が１８０度の円弧状であり、照射光の照射方向範囲が１８０度である場合の例を示したが、本実施形態はこれに限定されず、照射方向範囲が１８０度よりも小さい範囲であってもよい。例えば照射ユニットの照射方向範囲を、検出領域との位置関係に応じた最適な範囲に設定することで、照射光強度分布の設定を容易化できると共に照射光強度分布を最適な分布に設定することが可能になる。
【０１１４】
例えば図８において、対象物の検出領域ＲＤＥＴは第１〜第４の位置Ｐ１〜Ｐ４により規定される例えば矩形の領域（Ｚ方向から見て矩形の領域）になっている。そして照射ユニットＥＵ１の配置位置である第１の配置位置ＰＥ１から、検出領域ＲＤＥＴを規定する一端側の第１の位置Ｐ１へと向かう方向を第１の方向Ｄ１とする。また第１の配置位置ＰＥ１から、検出領域ＲＤＥＴを規定する他端側の第２の位置Ｐ２へと向かう方向を第２の方向Ｄ２とする。また、照射ユニットＥＵ１の配置位置である第２の配置位置ＰＥ２から第１の位置へＰ１と向かう方向を第３の方向Ｄ３とする。また第２の配置位置ＰＥ２から第２の位置Ｐ２へと向かう方向を第４の方向Ｄ４とする。なお第１、第２の位置Ｐ１、Ｐ２は、検出領域ＲＤＥＴを規定する第１の位置Ｐ１〜第４の位置Ｐ４のうちの照射ユニットＥＵ１、ＥＵ２側の辺（上辺）の頂点位置である。
【０１１５】
この場合に図８では、照射ユニットＥＵ１は、第１の方向Ｄ１と第２の方向Ｄ２で規定される方向範囲ＲＥ１を含む照射方向範囲（第１の照射方向範囲）で照射光（第１の照射光）を出射する。例えば、少なくとも方向範囲ＲＥ１に対して照射光が出射されるような照射方向範囲であり、且つ、１８０度よりも小さな照射方向範囲で照射光を出射する。
【０１１６】
また照射ユニットＥＵ２は、第３の方向Ｄ３と第４の方向Ｄ４で規定される方向範囲ＲＥ２を含む照射方向範囲（第２の照射方向範囲）で照射光（第２の照射光）を出射する。例えば、少なくとも方向範囲ＲＥ２に対して照射光が出射されるような照射方向範囲であり、且つ、１８０度よりも小さな照射方向範囲で照射光を出射する。
【０１１７】
例えば第１の配置位置ＰＥ１から第２の配置位置ＰＥ２へと向かう方向を第５の方向Ｄ５とし、Ｄ５の反対方向を第６の方向Ｄ６とする。また第２の配置位置ＰＥ２から第１の配置位置ＰＥ１へと向かう方向を第７の方向Ｄ７とし、Ｄ７の反対方向を第８の方向Ｄ８とする。
【０１１８】
この場合に図８では、図４、図５の照射ユニットＥＵ１の第１の光源部ＬＳ１１は、第１の方向Ｄ１と第６の方向Ｄ６で規定される第１の方向範囲ＲＤ１内に配置される。例えば光源部ＬＳ１１は、Ｄ１とＤ６のなす角の２等分線の方向と方向Ｄ１で規定される方向範囲内に配置される。
【０１１９】
また照射ユニットＥＵ１の第２の光源部ＬＳ１２は、第２の方向Ｄ２と第５の方向Ｄ５で規定される第２の方向範囲ＲＤ２内に配置される。例えば光源部ＬＳ１２は、Ｄ２とＤ５のなす角の２等分線の方向と方向Ｄ２で規定される方向範囲内に配置される。即ち照射ユニットＥＵ１では、光源部ＬＳ１１、ＬＳ１２がＲＤ１、ＲＤ２の方向範囲内に位置するように、光源部ＬＳ１１、ＬＳ１２やライトガイドＬＧ１（ＬＧ１１、ＬＧ１２）の形状や配置が設定される。
【０１２０】
一方、照射ユニットＥＵ２の第３の光源部ＬＳ２１は、第３の方向Ｄ３と第７の方向Ｄ７で規定される第３の方向範囲ＲＤ３内に配置される。例えばＤ３とＤ７のなす角の２等分線の方向と方向Ｄ３で規定される方向範囲内に配置される。
【０１２１】
また照射ユニットＥＵ２の第４の光源部ＬＳ２２は、第４の方向Ｄ４と第８の方向Ｄ８で規定される第４の方向範囲ＲＤ４内に配置される。例えばＤ４とＤ８のなす角の２等分線の方向と方向Ｄ４で規定される方向範囲内に配置される。即ち照射ユニットＥＵ２では、光源部ＬＳ２１、ＬＳ２２がＲＤ３、ＲＤ４の方向範囲内に位置するように、光源部ＬＳ２１、ＬＳ２２やライトガイドＬＧ２（ＬＧ２１、ＬＧ２２）の形状や配置が設定される。
【０１２２】
照射ユニットＥＵ１、ＥＵ２の照射方向範囲や光源部の配置を、図８のように設定すれば、少なくとも検出領域ＲＤＥＴに存在する対象物については適正に検出できるようになる。また、照射方向範囲が１８０度よりも小さな方向範囲に設定されるため、無駄な照射方向に対して照射光が出射されるのを抑止でき、照射光強度分布の設定も容易化できる。
【０１２３】
即ち図８において、方向範囲ＲＤ１、ＲＤ２、ＲＤ３、ＲＤ４に対して照射光が照射されても、この照射光は、検出領域ＲＤＥＴでの対象物の検出には寄与しない。従って、これらの方向範囲ＲＤ１、ＲＤ２、ＲＤ３、ＲＤ４に照射光を照射してしまうと、照射光のパワーが無駄に消費されてしまう。
【０１２４】
また図８において、照射ユニットＥＵ１においては、例えば方向Ｄ１から方向Ｄ２の範囲で、図３（Ａ）に示すように照射光の強度が変化するような強度分布であることが、対象物の検出にとっては望ましい。また照射ユニットＥＵ２においては、例えば方向Ｄ３から方向Ｄ４の範囲で、図３（Ａ）に示すように照射光の強度が変化するような強度分布であることが、対象物の検出にとっては望ましい。
【０１２５】
ところが照射ユニットＥＵ１の照射方向範囲が１８０度であると、照射ユニットＥＵ１では、方向Ｄ６から方向Ｄ５の範囲で照射光の強度が変化するような強度分布になってしまう。また照射ユニットＥＵ２では、方向Ｄ７から方向Ｄ８の範囲で照射光の強度が変化するような強度分布になってしまう。このため、照射光強度分布を、対象物の検出に最適な強度分布に設定することが難しくなる。
【０１２６】
この点、図８の手法によれば、例えば照射ユニットＥＵ１については、方向Ｄ１からＤ２の範囲で照射光の強度が変化するように強度分布を設定すれば済む。また照射ユニットＥＵ２については、方向Ｄ３からＤ４の範囲で照射光の強度が変化するように強度分布を設定すれば済む。従って、照射光強度分布を、検出領域ＲＤＥＴでの対象物の検出に最適な強度分布に設定することが容易化され、検出精度の向上等を図れる。
【０１２７】
また光源部ＬＳ１１、ＬＳ１２、ＬＳ２１、ＬＳ２２を、各々、ＲＤ１、ＲＤ２、ＲＤ３、ＲＤ４の方向範囲内に配置すれば、これらの光源部からの光源光のパワーがライトガイド等において無駄に消費されてしまう事態も抑止できる。そして、このような無駄な消費を抑止することで、結果的に対象物に照射される照射光のパワーも上昇するようになるため、検出精度の向上等を図れるようになる。
【０１２８】
６．照射方向の規制
さて、図１（Ｂ）に示すような検出領域ＲＤＥＴを設定して、ユーザーの指等の対象物を検出する場合に、照射ユニットＥＵ１、ＥＵ２からの照射光が、図１（Ｂ）のＺ方向において広がった光になってしまうと、誤った検出が行われてしまうおそれがある。即ち、検出対象がユーザーの指であるのに、ユーザーの体の方を検出してしまうおそれがある。例えば図１（Ａ）において、ユーザーの体がスクリーン２０の方に近づいただけで、検出領域ＲＤＥＴに、検出対象であるユーザーの指が存在すると誤検出されてしまうおそれがある。
【０１２９】
そこで本実施形態の光学式検出装置では、照射光の照射方向を、対象物の検出領域ＲＤＥＴの面（ＸＹ平面に平行な面）に沿った方向に規制する照射方向規制部（照射方向制限部）を設けている。具体的には図９（Ａ）では、この照射方向規制部はスリットＳＬにより実現されている。このスリットＳＬは、検出領域ＲＤＥＴの面に沿った第１のスリット面ＳＦＬ１と第２のスリット面ＳＦＬ２を有する。このように本実施形態では、光学式検出装置の筐体ＨＳに対して、照射方向に開口するスリットＳＬを設けることで、光学式検出装置の照射方向規制部を実現している。
【０１３０】
このようなスリットＳＬを設ければ、ライトガイドＬＧ（ＬＧ１１、ＬＧ１２等）からの光は、スリット面ＳＦＬ１、ＳＦＬ２に沿った方向に規制される。これにより、図１（Ｂ）において照射ユニットＥＵ１、ＥＵ２から出射される照射光が、Ｘ、Ｙ平面に平行な光になるように規制できる。従って、検出領域ＲＤＥＴへの照射光が、Ｚ方向に広がってしまう事態を防止でき、ユーザーの体がスクリーン２０に近づいた場合に、ユーザーの体を指やタッチペンなどの対象物であると誤検出してしまう事態を防止できる。従って、Ｚ方向の位置を検出する装置を設けなくても、対象物の適正な位置検出を実現できるようになる。
【０１３１】
また図９（Ｂ）では、スリット面ＳＦＬ１、ＳＦＬ２に対して凹部が形成されている。即ち図９（Ａ）ではスリット面ＳＦＬ１、ＳＦＬ２は平らな形状になっているが、図９（Ｂ）では、スリット面ＳＦＬ１、ＳＦＬ２は平らな形状になっておらず、くぼみが形成されている。このような凹部を設けることでスリット面ＳＦＬ１、ＳＦＬ２での表面反射を抑制することが可能になり、ＸＹ平面に対して、より平行な光の照射光を検出領域ＲＤＥＴに対して出射できるようになる。
【０１３２】
なおスリット面ＳＦＬ１、ＳＦＬ２の表面に対して例えば無反射塗装などの加工を施すことで、凹部と同様の機能を実現することも可能である。また図９（Ａ）、図９（Ｂ）では、照射光のＺ方向でのブレを規制する照射方向規制部をスリットＳＬにより実現する場合について示しているが、例えばルーバーフィルムなどの光学シートを用いて、照射方向規制部を実現してもよい。例えば図２（Ａ）のルーバーフィルムＬＦは、ライトガイドＬＧからの出射光の光指向の方向を法線方向に規制する機能を有する。従って、スリットＳＬによる照射方向規制部の機能と同様の機能を実現するためには、ライトガイドＬＧからの光の出射方向を、図１（Ｂ）のＸＹ平面に平行な方向に規制する配置構成のルーバーフィルムを設ければよい。
【０１３３】
７．照射ユニットの詳細な構造例
次に本実施形態の光学式検出装置の照射ユニットの詳細な構造例について図１０〜図１２を用いて説明する。図１０〜図１２は図４で説明した照射ユニットの詳細な構造を説明する図である。
【０１３４】
なお以下では、説明の簡略化のために、図４のＥＵ１、ＥＵ２の各照射ユニットを照射ユニットＥＵと記載して説明する。また図４のライトガイドＬＧ１、ＬＧ２をＬＧと記載し、光源部ＬＳ１１、ＬＳ２１を光源部ＬＳ１と記載し、光源部ＬＳ２１、ＬＳ２２を光源部ＬＳ２と記載して説明する。反射シートＲＳ１、ＲＳ２、照射方向設定部ＬＥ１、ＬＥ２等も同様である。
【０１３５】
図１０は照射ユニットＥＵをスリットＳＬの開口側から見た斜視図である。この照射ユニットＥＵは、扇形状の筺体１００、１１０により構成される。図１１は、照射ユニットＥＵを構成する扇形状の筺体１００、１１０を分離して、筺体１００、１１０をその内側面から見た斜視図である。図１２は、筺体１００を図１１のＪ１方向から見た斜視図である。図１０、図１１、図１２に示すように、照射ユニットＥＵは、扇形状の筺体１００、１１０を、その内側面同士が対向するように重なり合わせた構造になっている。
【０１３６】
図１１、図１２に示すように、筺体１００の内側面には円弧状の溝部１０２、１０４が形成され、筺体１１０の内側面にも円弧状の溝部１１２、１１４が形成されている。１０２、１１２は内周側に形成される溝部であり、１０４、１１４は外周側に形成される溝部である。このような溝部１０２、１０４、１１２、１１４を筺体１００、１０２に形成することで、図９（Ｂ）で説明したスリット面ＳＦＬ１、ＳＦＬ２の凹部が実現される。
【０１３７】
図１１、図１２に示すように、ライトガイドＬＧは、溝部１０２の内周側に配置される。またライトガイドＬＧの外周側には照射方向設定部ＬＥ（プリズムシート、ルーバーフィルム等）が配置される。ライトガイドＬＧの内周側には反射シートＲＳが設けられる。このような配置構成にすることで、ライトガイドＬＧの外周側から出射された照射光が、照射方向設定部ＬＥにより法線方向にその方向が設定されて、照射ユニットＥＵのスリットＳＬから出射されるようになる。この際に、溝部１０２、１０４、１１２、１１４により実現される照射方向規制部により、照射光の照射方向が、図１（Ｂ）の検出領域ＲＤＥＴの面（ＸＹ平面に平行な面）に沿うように規制されるようになる。
【０１３８】
図１３（Ａ）、図１３（Ｂ）は、図１１のＪ２に示す部分の詳細な構造を説明する図である。
【０１３９】
図１３（Ａ）に示すように、ＦＰＣ（フレキシブルプリント基板）に設けられる光源部ＬＳ（ＬＳ１、ＬＳ２）からの光はライトガイドＬＧの光入射面に入射される。ライトガイドＬＧの内周側には反射シートＲＳが設けられ、外周側には、拡散シートＤＦＳが設けられる。拡散シートＤＦＳの外周側にはプリズムシートＰＳ１が設けられ、ＰＳ１の外周側にはプリズムシートＰＳ２が設けられ、ＰＳ２の外周側にはルーバーフィルムＬＦが設けられる。また図１３（Ｂ）に示すように、プリズムシートＰＳ１とＰＳ２は、その稜線が直交するように配置される。
【０１４０】
図１３（Ａ）、図１３（Ｂ）において、拡散シートＤＦＳにより、ライトガイドＬＧの外周側から出射した光の表面輝度が均一化される。即ち、拡散シートＤＦＳを通ることで、出射光が均一な輝度の拡散光になる。
【０１４１】
プリズムシートＰＳ１、ＰＳ２は、拡散シートＤＦＳの外周側から出射される光を、ライトガイドＬＧの内周側から外周側に向かう方向ＤＮ（法線方向）に集光する機能を有する。即ち、拡散シートＤＦＳで表面輝度の均一化を図った後に、プリズムシートＰＳ１、ＰＳ２により方向ＤＮに光を集光させて、輝度を向上させる。
【０１４２】
ルーバーフィルムＬＦは、プリズムシートＰＳ１、ＰＳ２の外周側から出射される低視角光を遮断する格子状の遮光部材である。ルーバーフィルムＬＦを設けることで、方向ＤＮに沿った光はルーバーフィルムＬＦを通過して照射ユニットＥＵから外周側に出射されるようになる一方で、低視角光は遮断されるようになる。
【０１４３】
図１４（Ａ）にプリズムシートＰＳ（ＰＳ１、ＰＳ２）の例を示す。プリズムシートＰＳのプリズム面２００は例えばアクリル系樹脂層２００で形成され、基板２０２は例えばポリエステルフィルム層２０２で形成される。
【０１４４】
図１４（Ｂ）、図１４（Ｃ）に拡散シートＤＦＳの例を示す。この拡散シートＤＦＳは、ベースフィルム２１０（ＰＥＴ）に対してバインダ２１４と共にビーズ２１２を塗布することで形成される。これにより図１４（Ｃ）に示すような凹凸の表面を有する拡散シートＤＦＳを形成できる。
【０１４５】
図１５は、プリズムシートＰＳ、ルーバーフィルムＬＦ等で実現される照射光設定部ＬＥの機能について説明するための図である。
【０１４６】
図１５に示すようにライトガイドＬＧ内を光源光が全反射で導光される場合に、ライトガイドＬＧの例えば内周側にシルク印刷方式等で表面加工を施すことで、光源光の一部がライトガイドＬＧの外周側から出射されるようになる。プリズムＰＳ、ルーバーフィルムＬＦ等で実現される照射光設定部ＬＥは、このようにして出射された光の方向ＤＬ１、ＤＬ２を、方向ＤＮ（法線方向）に向くように設定する。こうすることで、図２（Ａ）、図２（Ｂ）のような照射強度分布ＬＩＤ１、ＬＩＤ２を形成することが可能になる。
【０１４７】
８．検出部
次に図１６を用いて検出部５０等の具体的な構成例について説明する。
【０１４８】
駆動回路７０は、光源部ＬＳ１の発光素子ＬＥＤＡと光源部ＬＳ２の発光素子ＬＥＤＢを駆動する。この駆動回路７０は、可変抵抗ＲＡ、ＲＢとインバーター回路ＩＶ（反転回路）を含む。可変抵抗ＲＡの一端及びインバーター回路ＩＶには、制御部６０から矩形波形の駆動信号ＳＤＲが入力される。可変抵抗ＲＡは、信号ＳＤＲの入力ノードＮ１と、発光素子ＬＥＤＡのアノード側のノードＮ２の間に設けられる。可変抵抗ＲＢは、インバーター回路ＩＶの出力ノードＮ３と、発光素子ＬＥＤＢのアノード側のノードＮ４の間に設けられる。発光素子ＬＥＤＡはノードＮ２とＧＮＤ（ＶＳＳ）の間に設けられ、発光素子ＬＥＤＢはノードＮ４とＧＮＤの間に設けられる。
【０１４９】
そして駆動信号ＳＤＲがＨレベルである第１の発光期間ＴＡでは、可変抵抗ＲＡを介して発光素子ＬＥＤＡに電流が流れて、発光素子ＬＥＤＡが発光する。これにより図２（Ａ）に示すような照射光強度分布ＬＩＤ１が形成される。一方、駆動信号ＳＤＲがＬレベルである第２の発光期間ＴＢでは、可変抵抗ＲＢを介して発光素子ＬＥＤＢに電流が流れて、発光素子ＬＥＤＢが発光する。これにより図２（Ｂ）に示すような照射光強度分布ＬＩＤ２が形成される。従って、図７（Ａ）で説明したように、光源部ＬＳ１、ＬＳ２を交互に点灯させて、図２（Ａ）、図２（Ｂ）の照射光強度分布ＬＩＤ１、ＬＩＤ２を、各々、第１、第２の発光期間ＴＡ、ＴＢにおいて形成できるようになる。即ち制御部６０は、駆動信号ＳＤＲを用いて光源部ＬＳ１と光源部ＬＳ２を交互に発光させて、照射強度分布ＬＩＤ１と照射強度分布ＬＩＤ２を交互に形成する制御を行う。
【０１５０】
受光部ＲＵは、フォトダイオード等により実現される受光素子ＰＨＤと、電流・電圧変換用の抵抗Ｒ１を含む。そして第１の発光期間ＴＡでは、発光素子ＬＥＤＡからの光による対象物ＯＢの反射光が受光素子ＰＨＤに入射されて、抵抗Ｒ１及び受光素子ＰＨＤに電流が流れ、ノードＮ５に電圧信号が発生する。一方、第２の発光期間ＴＢでは、発光素子ＬＥＤＢからの光による対象物ＯＢの反射光が受光素子ＰＨＤに入射されて、抵抗Ｒ１及び受光素子ＰＨＤに電流が流れ、ノードＮ５に電圧信号が発生する。
【０１５１】
検出部５０は、信号検出回路５２、信号分離回路５４、判定部５６を含む。
【０１５２】
信号検出回路５２（信号抽出回路）は、キャパシターＣＦと演算増幅器ＯＰ１と抵抗Ｒ２を含む。キャパシターＣＦは、ノードＮ５の電圧信号のＤＣ成分（直流成分）をカットするハイパスフィルターとして機能する。このようなキャパシターＣＦを設けることで、環境光に起因する低周波成分や直流成分をカットすることができ、検出精度を向上できる。演算増幅器ＯＰ１及び抵抗Ｒ２で構成されるＤＣバイアス設定回路は、ＤＣ成分カット後のＡＣ信号に対してＤＣバイアス電圧（ＶＢ／２）を設定するための回路である。
【０１５３】
信号分離回路５４は、スイッチ回路ＳＷ、キャパシターＣＡ、ＣＢ、演算増幅器ＯＰ２を含む。スイッチ回路ＳＷは、駆動信号ＳＤＲがＨレベルになる第１の発光期間ＴＡでは、信号検出回路５２の出力ノードＮ７を、演算増幅器ＯＰ２の反転入力側（−）のノードＮ８に接続する。一方、駆動信号ＳＤＲがＬレベルになる第２の発光期間ＴＢでは、信号検出回路５２の出力ノードＮ７を、演算増幅器ＯＰ２の非反転入力側（＋）のノードＮ９に接続する。演算増幅器ＯＰ２は、ノードＮ８の電圧信号（実効電圧）とノードＮ９の電圧信号（実効電圧）を比較する。
【０１５４】
そして制御部６０は、信号分離回路５４でのノードＮ８、Ｎ９の電圧信号（実効電圧）の比較結果に基づいて、駆動回路７０の可変抵抗ＲＡ、ＲＢの抵抗値を制御する。判定部５６は、制御部６０での可変抵抗ＲＡ、ＲＢの抵抗値の制御結果に基づいて、対象物の位置の判定処理を行う。
【０１５５】
本実施形態では図１６の検出部５０等により、上述した式（６）、（７）で説明した制御を実現する。即ち、第１の発光期間ＴＡでの受光素子ＰＨＤの検出受光量をＧａとし、第２の発光期間ＴＢでの受光素子ＰＨＤの検出受光量をＧｂとすると、この検出受光量の比Ｇａ／Ｇｂが１になるように、制御部６０は、信号分離回路５４での比較結果に基づいて可変抵抗ＲＡ、ＲＢの抵抗値を制御する。
【０１５６】
即ち制御部６０は、光源部ＬＳ１が発光する第１の発光期間ＴＡにおける受光部ＲＵでの検出受光量Ｇａと、光源部ＬＳ２が発光する第２の発光期間ＴＢにおける受光部ＲＵでの検出受光量Ｇｂとが等しくなるように、光源部ＬＳ１、ＬＳ２の発光制御を行う。
【０１５７】
例えば第１の発光期間ＴＡでの検出受光量Ｇａの方が第２の発光期間ＴＢでの検出受光量Ｇｂよりも大きかった場合には、制御部６０は、可変抵抗ＲＡの抵抗値を大きくして、発光素子ＬＥＤＡに流れる電流値が小さくなるように制御する。また可変抵抗ＲＢの抵抗値を小さくして、発光素子ＬＥＤＢに流れる電流値が大きくなるように制御する。これにより、第１の発光期間ＴＡでの受光素子ＰＨＤの検出受光量Ｇａが小さくなる一方で、第２の発光期間ＴＢでの受光素子ＰＨＤの検出受光量Ｇｂが大きくなり、Ｇａ／Ｇｂ＝１になるように制御される。
【０１５８】
一方、第２の発光期間ＴＢでの検出受光量Ｇｂの方が第１の発光期間ＴＡでの検出受光量Ｇａよりも大きかった場合には、制御部６０は、可変抵抗ＲＡの抵抗値を小さくして、発光素子ＬＥＤＡに流れる電流値が大きくするように制御する。また、可変抵抗ＲＢの抵抗値を大きくして、発光素子ＬＥＤＢに流れる電流値が小さくなるように制御する。これにより、第１の発光期間ＴＡでの受光素子ＰＨＤの検出受光量Ｇａが大きくなる一方で、第２の発光期間ＴＢでの受光素子ＰＨＤの検出受光量Ｇｂが小さくなり、Ｇａ／Ｇｂ＝１になるように制御される。なおＧａ＝Ｇｂである場合には、可変抵抗ＲＡ、ＲＢの抵抗値は変化させない。
【０１５９】
このようにすれば、対象物の位置において、図３（Ａ）の強度ＩＮＴａとＩＮＴｂが等しくなるように、光源部ＬＳ１、ＬＳ２の発光素子ＬＥＤＡ、ＬＥＤＢの放出光量が制御される。そして、このような発光制御が行われている際の可変抵抗ＲＡ、ＲＢの抵抗値等に基づいて、上述した式（６）〜（１１）等で説明した手法により、対象物の位置を検出する。このようにすれば、環境光等の外乱光の影響を最小限に抑えることが可能になり、対象物の位置の検出精度を向上することが可能になる。
【０１６０】
なお本実施形態の発光制御手法は図１６で説明した手法に限定されず、種々の変形実施が可能である。例えば図１６の発光素子ＬＥＤＢを参照用光源部の発光素子として用いる手法を採用してもよい。この参照用光源部は、例えば他の光源部（ＬＳ１１〜ＬＳ２２）に比べて受光部ＲＵから近い距離に配置されたり、受光部ＲＵと同じ筺体内に配置されることで、周囲光（外乱光、対象物からの反射光等）の入射が規制されるように配置設定される光源部である。そして制御部６０が、第１の期間において図４、図５の第１の光源部ＬＳ１１と図示しない参照用光源部を交互に発光させ、受光部ＲＵでの検出受光量が等しくなるように、第１の光源部ＬＳ１１と参照用光源部の発光制御を行う。また第２の期間において第２の光源部ＬＳ１２と参照用光源部を交互に発光させ、受光部ＲＵでの検出受光量が等しくなるように、第２の光源部ＬＳ１２と参照用光源部の発光制御を行う。また第３の期間において第３の光源部ＬＳ２１と参照用光源部を交互に発光させ、受光部ＲＵでの検出受光量が等しくなるように、第３の光源部ＬＳ２１と参照用光源部の発光制御を行う。また第４の期間において第４の光源部ＬＳ２２と参照用光源部を交互に発光させ、受光部ＲＵでの検出受光量が等しくなるように、第４の光源部ＬＳ２２と参照用光源部の発光制御を行う。このようにすれば、第１の光源部ＬＳ１１が発光する第１の発光期間での検出受光量と、第２の光源部ＬＳ１２が発光する第２の発光期間での検出受光量とが、参照用光源部を介して実質的に等しくなるように、発光制御が行われるようになる。また第３の光源部ＬＳ２１が発光する第３の発光期間での検出受光量と、第４の光源部ＬＳ２２が発光する第４の発光期間での検出受光量とが、参照用光源部を介して実質的に等しくなるように、発光制御が行われるようになる。
【０１６１】
なお、以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また光学式検出装置、表示装置、電子機器の構成、動作も本実施形態で説明したものに限定されず、種々の変形実施が可能である。
【符号の説明】
【０１６２】
ＥＵ、ＥＵ１、ＥＵ２  照射ユニット、ＲＵ  受光部、
ＡＲＤ  表示エリア、ＲＤＥＴ  検出領域、
ＬＧ、ＬＧ１、ＬＧ２、ＬＧ１１〜ＬＧ２２  ライトガイド、
ＬＳ１、ＬＳ２、ＬＳ１１〜ＬＳ２２  光源部、ＲＳ、ＲＳ１、ＲＳ２  反射シート、
ＰＳ、ＰＳ１、ＰＳ２  プリズムシート、ＬＦ、ＬＦ１、ＬＦ２  ルーバーフィルム、
ＬＥ、ＬＥ１、ＬＥ２  照射方向設定部、
ＬＴ  照射光、ＬＩＤ１  第１の照射光強度分布、ＬＩＤ２  第２の照射光強度分布、
ＳＬ  スリット、ＳＦＬ１  第１のスリット面、ＳＦＬ２  第２のスリット面、
Ｄ１〜Ｄ８  第１〜第８の方向、
１０  画像投射装置、２０  スクリーン、５０  検出部、５２  信号検出回路、
５４  信号分離回路、５６  判定部、６０  制御部、７０  駆動回路
【図１】
0005589547.tif 000002
【図２】
0005589547.tif 000003
【図３】
0005589547.tif 000004
【図４】
0005589547.tif 000005
【図５】
0005589547.tif 000006
【図６】
0005589547.tif 000007
【図７】
0005589547.tif 000008
【図８】
0005589547.tif 000009
【図９】
0005589547.tif 000010
【図１０】
0005589547.tif 000011
【図１１】
0005589547.tif 000012
【図１２】
0005589547.tif 000013
【図１３】
0005589547.tif 000014
【図１４】
0005589547.tif 000015
【図１５】
0005589547.tif 000016
【図１６】
0005589547.tif 000017